(57)【要約】【課題】プレートれんがやその周面に貼付された弾性材を損傷することなく、プレートれんがを金枠に容易に組み込み固定することができるプレートれんがの固定機構を提供する。【解決手段】プレートれんが２０の一端を保持する保持部材３０と、プレートれんが２０を他端側から保持部材３０に押し付ける押圧部材４０とを備え、押圧部材４０は、プレートれんが２０を金枠１０に押し付ける方向に進退する押圧ブロック４２と、押圧ブロック４２の揺動軸４３周りに揺動可能に基端部が取り付けられ、近接する金枠辺とプレートれんが２０との間に挿入されてプレートれんが２０を固定する押圧片４１とを具備し、さらに、押圧ブロック４２を後退させたとき、近接する金枠辺側に押圧片４１の先端を揺動させる付勢機構４７を具備する。【選択図】図１
2011104606.tif 000002
【特許請求の範囲】
【請求項１】
スライディングノズル装置において金枠に収納したプレートれんがを固定するプレートれんがの固定機構であって、
前記プレートれんがの一端を保持する保持部材と、
前記プレートれんがを他端側から前記保持部材に押し付ける押圧部材と
を備え、
前記押圧部材は、
前記プレートれんがを前記金枠に押し付ける方向に進退する押圧ブロックと、
前記押圧ブロックの揺動軸周りに揺動可能に基端部が取り付けられ、近接する金枠辺とプレートれんがとの間に挿入されて該プレートれんがを固定する押圧片と
を具備し、
さらに、前記押圧ブロックを後退させたとき、近接する金枠辺側に前記押圧片の先端を揺動させる付勢機構を具備する
ことを特徴とするプレートれんがの固定機構。
【請求項２】
前記押圧部材は、前記プレートれんがの両側部を押圧する一対の前記押圧片を備え、
前記付勢機構は、前記押圧ブロックを後退させたとき、一対の前記押圧片の先端の間隔が広がる方向に各該押圧片を揺動させる
ことを特徴とする請求項１記載のプレートれんがの固定機構。
【請求項３】
前記付勢機構は、前記押圧片の基端部と該基端部が接触する接触部の一方であって、前記搖動軸よりも前記金枠の内側に設けた突起であることを特徴とする請求項１または２記載のプレートれんがの固定機構。
【発明の詳細な説明】
【技術分野】
【０００１】
本発明は、スライディングノズル装置（以下「ＳＮ装置」という。）において金枠に収納したプレートれんがを固定するプレートれんがの固定機構に関する。
【背景技術】
【０００２】
取鍋やタンディッシュにおいて、溶鋼の流量を制御するため、ＳＮ装置が一般的に使用されている。このＳＮ装置は、２枚又は３枚のプレートれんがを相対的にスライドさせ、ノズル孔を開閉することにより溶鋼の流量を制御するものである。また、使用中におけるプレートれんが間からの溶鋼の漏れを防止するため、プレートれんがのスライド面には大きな圧力をかけている。このような使用条件下でプレートれんがをスライドさせるためには、スライド時におけるプレートれんがのずれを防止するため、プレートれんがは金枠に固定されている。
【０００３】
従来、プレートれんがを金枠に固定する固定機構としては、金枠内に、プレートれんがの長手方向一端の両側部を保持する保持部材と、プレートれんがの長手方向他端の両側部を長手方向に押圧する押圧部材とを配置し、押圧部材によってプレートれんがを保持部材に向けて押圧することによって、保持部材と押圧部材とでプレートれんがを挟み込んで固定する機構が知られている（例えば特許文献１）。
【０００４】
このような固定機構に使用される押圧部材は、プレートれんがの長手方向端部の両側部を押圧するために、平面視でコの字状（チャンネル状）に形成される。プレートれんがを固定する際には、このコの字状の押圧部材内にプレートれんがの長手方向端部を組み込む必要があるが、押圧部材はプレートれんがを確実に固定できるようにプレートれんがに倣った形状に形成されるため、押圧部材とプレートれんがとの間に隙間がなくて、プレートれんがの組み込みが困難な場合がある。また、プレートれんがの組み込み時に、プレートれんがが押圧部材と接触しプレートれんがが損傷することがあり、プレートれんがの周面に断熱シートのような弾性材が貼付されている場合には、その弾性材が損傷することがある。プレートれんがやその周面に貼付された弾性材が損傷すると、プレートれんがの固定が不十分になり、ＳＮ装置の操業に支障を来す場合がある。
【先行技術文献】
【特許文献】
【０００５】
【特許文献１】特許第３７２５９６６号公報
【発明の概要】
【発明が解決しようとする課題】
【０００６】
本発明が解決しようとする課題は、プレートれんがやその周面に貼付された弾性材を損傷することなく、プレートれんがを金枠に容易に組み込み固定することができるプレートれんがの固定機構を提供することにある。
【課題を解決するための手段】
【０００７】
本発明に係るプレートれんがの固定機構は、ＳＮ装置において金枠に収納したプレートれんがを固定するプレートれんがの固定機構であって、前記プレートれんがの一端を保持する保持部材と、前記プレートれんがを他端側から前記保持部材に押し付ける押圧部材とを備え、前記押圧部材は、前記プレートれんがを前記金枠に押し付ける方向に進退する押圧ブロックと、前記押圧ブロックの揺動軸周りに揺動可能に基端部が取り付けられ、近接する金枠辺とプレートれんがとの間に挿入されて該プレートれんがを固定する押圧片と
を具備し、さらに、前記押圧ブロックを後退させたとき、近接する金枠辺側に前記押圧片の先端を揺動させる付勢機構を具備することを特徴とするものである。
【０００８】
本発明において、前記押圧部材は、前記プレートれんがの両側部を押圧する一対の前記押圧片を備え、前記付勢機構は、前記押圧ブロックを後退させたとき、一対の前記押圧片の先端の間隔が広がる方向に各該押圧片を揺動させるようにすることができる。
【０００９】
また本発明において、前記付勢機構は、前記押圧片の基端部と該基端部が接触する接触部の一方であって、前記搖動軸よりも前記金枠の内側に設けた突起とすることができる。
【発明の効果】
【００１０】
本発明によれば、押圧ブロックを後退させたとき、押圧片の先端が近接する金枠辺側に揺動するので、プレートれんがを金枠に組み込みやすくなる。したがって、プレートれんがやその周面に貼付された弾性材を損傷することなく、プレートれんがを金枠に容易に組み込み固定することができる。
【図面の簡単な説明】
【００１１】
【図１】本発明に係るプレートれんがの固定機構の一実施例を示す正面図である。
【図２】図１のプレートれんがの固定機構における一対の押圧片の動作を示す説明図である。
【発明を実施するための形態】
【００１２】
以下、図面に示す実施例に基づき本発明の実施の形態を説明する。
【００１３】
図１は、本発明に係るプレートれんがの固定機構の一実施例を示す正面図である。ＳＮ装置は、取鍋やタンディッシュの底部に取り付けられ、その使用時にはプレートれんがはその長手方向が水平となるように位置するが、ＳＮ装置の補修時にプレートれんがを交際するときには、プレートれんがはその長手方向が垂直になるように位置する。図１は、ＳＮ装置の補修時の状態を正面視で示している。
【００１４】
図１において、金枠１０内にプレートれんが２０が収納されている。金枠１０は矩形状の底板１１の周縁に立ち上がり壁１２を設けることによってプレートれんが２０を収納できるように形成されている。金枠１０の底板１１には、プレートれんが２０のノズル孔２１と整合する位置に開口１３が設けられている。
【００１５】
金枠１０内には、プレートれんが２０の長手方向一端の両側部を保持する一対の保持部材３０が配置されている。具体的には、プレートれんが２０の長手方向一端の両側部は傾斜面２２とされ、この傾斜面２２と面合するように一対の保持部材３０が配置されている。
【００１６】
また、金枠１０には、プレートれんが２０の長手方向他端を長手方向に押圧する押圧部材４０が配置されている。押圧部材４０は、金枠１０内に、プレートれんがの長手方向一端の両側部を押圧する一対の押圧片４１を備えている。具体的には、プレートれんが２０の長手方向他端の両側部は傾斜面２３とされ、この傾斜面２２と面合するように一対の押圧部材４１が配置されている。
【００１７】
一対の押圧片４１の基端部は、それぞれ押圧ブロック４２の長手方向両端の揺動軸４３周りに揺動可能に取り付けられている。そして、押圧ブロック４２には、金枠１０に固定したネジブロック４４に螺合された進退用ネジ軸４５の先端部分が固定されている。進退用ネジ軸４５を螺合したネジブロック４４は金枠１０に固定されているので、進退用ネジ軸４５を一方向に回転させると押圧ブロック４２は前進し、進退用ネジ軸４５を他方向に回転させると押圧ブロック４２は後退する。
【００１８】
ここで、図１中の符号４６は、ネジブロック４４を金枠１０に固定するための固定ボルトであり、その先端はネジブロック４４に開けられた貫通孔に挿通されている。固定ボルト４６を図１の実施例のように進退用ネジ軸４５を挟んで対称に設けることで、ネジブロック４４を金枠１０に確実に固定できると共に、進退用ネジ軸４５の操作による押圧ブロック４２の進退をスムーズにガイドできる。
【００１９】
図１の実施例では、一対の押圧片４１の基端部の、押圧ブロック４２の長手方向両端の揺動軸４３よりも押圧ブロック４２の長手方向中央側の位置に、ネジブロック４４側に向けて突き出す突起４７が設けられている。このように突起４７を設けることで、進退用ネジ軸４５によって押圧ブロック４２を後退させると、最初に突起４７がネジブロック４４（接触部）に突き当たる。そして、突起４７と揺動軸４３の位置関係により、突起４７がネジブロック４４に突き当たると、一対の押圧片４１に、その先端の間隔が広がる方向（近接する金枠辺側）に揺動する方向のモーメントが作用し、図２（ａ）に誇張して示すように一対の押圧片４１は、その先端の間隔が広がった状態に保持される。一方、進退用ネジ軸４５によって押圧ブロック４２を前進させると、突起４７がネジブロック４４から離れるので、上記のモーメントは作用しなくなり、一対の押圧片４１は図２（ｂ）に示すように、自重によりほぼ垂直の状態になる。
【００２０】
以上の構成において、プレートれんが２０を金枠１０に収納して固定する際には、進退用ネジ軸４５によって押圧ブロック４２を後退させ、図２（ａ）に示すように一対の押圧片４１を、その先端の間隔が広がった状態に保持する。そして、プレートれんが２０の長手方向一端の両側部を一対の保持部材３０で保持し、その状態でプレートれんが２０の長手方向他端を一対の押圧片４１間に組み込む。このとき、一対の押圧片４１はその先端が広がった状態に保持され、プレートれんが２０との隙間が十分に確保されているので、プレートれんが２０と一対の押圧片４１が接触することなくプレートれんが２０を容易に組み込むことができる。
【００２１】
プレートれんが２０の長手方向他端を一対の押圧片４１間に組み込んだら、進退用ネジ軸４５によって押圧ブロック４２を前進させる。そうすると上述のとおり、突起４７がネジブロック４４から離れるので、上記のモーメントは作用しなくなり、一対の押圧片４１は自重によりほぼ垂直の状態になる。さらに進退用ネジ軸４５によって押圧ブロック４２を前進させると、プレートれんが２０長手方向他端の両側部の傾斜面２３が一対の押圧片４１と面合する。その後さらに押圧ブロック４２を前進させると、一対の押圧片４１は、プレートれんが２０の傾斜面２３から押圧されることにより、その先端の間隔が広がる方向に揺動するが、金枠１０の立ち上がり壁１２に突き当たることでそれ以上は揺動しなくなる。これによって、プレートれんが２０は、一対の保持部材３０と一対の押圧片４１とで挟み込まれて固定される。
【００２２】
なお、以上の実施例では、突起４７を一対の押圧片４１の基端部に設けたが、突起は、一対の押圧片４１の基端部と対向するネジブロック４４に一対の押圧片４１の基端部側に突き出すように設けても、同様の作用を奏することができる。また、突起は剛体（剛性体）によって形成しても良いが、コイルバネ等の弾性体によって形成しても良い。さらにネジブロック４４を設けることなく、押圧片４１の突起４７が金枠に突き当たるように構成してもよい。加えて上記実施例では、一対の押圧片それぞれに突起（付勢機構）を設けているが、片方の押圧片に付勢機構を設け、一方が広がるように構成した場合でも、押圧片を押し広げる作業が従来よりも軽減され、比較的容易にプレートれんがの交換作業を行うことができる。
【符号の説明】
【００２３】
１０  金枠
１１  底板
１２  立ち上がり壁
１３  開口
２０  プレートれんが
２１  ノズル孔
２２，２３  傾斜面
３０  保持部材
４０  押圧部材
４１  押圧片
４２  押圧ブロック
４３  揺動軸
４４  ネジブロック
４５  進退用ネジ軸
４６  固定ボルト
４７  突起（付勢機構）
【図１】
2011104606.tif 000003
【図２】
2011104606.tif 000004